(57)【要約】      （修正有）【課題】電力を確実に供給する装置を提供する。【解決手段】シリアル接続を介して接続されるネットワーク機器経由で電力を供給する装置は、第１及び第２の差動電線対を有し、差動電線対のそれぞれを一端が高域通過フィルターで、他端を別の高域通過フィルターで結合する二重交流結合とし、低域通過フィルターを高域通過フィルターの間の差動電線対のそれぞれに接続する。装置はさらに、第３及び第４の差動電線対を有し、４つの電線対を１つのケーブルに配置し、第１、第２及び第３の差動電線対は映像回線に使用し、第４の差動電線対は双方向複合回線に使用する。それぞれの機器の電力供給回路が電圧源、電力中継開閉器、検出用の固有の抵抗器、負荷検出器を有する。【選択図】図１
2015046897.tif 000002
【特許請求の範囲】
【請求項１】
シリアル接続に差動電線対として設けられた第１の電線対及び第２の電線対と、前記第１の電線対及び前記第２の電線対上の１つまたは複数の機器に電圧を発生させる電源と、で構成された、該シリアル接続を介して接続されている機器のネットワークに電力を供給する、電力供給装置であって、
前記第１の電線対における一端が第１の高域通過フィルターで結合されると共に、前記第１の電線対における他端が第２の高域通過フィルターで結合された、二重交流結合とされ、かつ、
前記第２の電線対における一端が第３の高域通過フィルターで結合されると共に、前記第２の電線対における他端が第４の高域通過フィルターで結合された、二重交流結合とされている
ことを特徴とする電力供給装置。
【請求項２】
前記第１の高域通過フィルターと前記第２の高域通過フィルターとの間における前記第１の電線対の一部分を電圧源に接続させる第１の低域通過フィルターと、前記第１の電線対の前記一部分を負荷に接続させる第２の低域通過フィルターと、がさらに設けられていることを特徴とする請求項１に記載の電力供給装置。
【請求項３】
前記第３の高域通過フィルターと前記第４の高域通過フィルターとの間における前記第２の電線対の一部分を第１の接地に接続させる第３の低域通過フィルターと、前記第２の電線対の前記一部分を第２の接地に接続させる第４の低域通過フィルターと、がさらに設けられていることを特徴とする請求項２に記載の電力供給装置。
【請求項４】
前記機器には送信器及び受信器が含まれ、前記送信器において生成された映像データを１つまたは複数の映像回線を介して前記受信器に送信させるように前記送信器が構成され、前記送信器及び前記受信器が、双方向複合回線を介して互いにユーザデータを交換するように構成され、かつ、前記ユーザデータには制御データ、イーサネット（登録商標）データ、ＵＳＢデータ、音声データ、バルクデータのうちの１つまたは複数が含まれていることを特徴とする請求項１に記載の電力供給装置。
【請求項５】
前記シリアル接続に差動電線対として第３の電線対及び第４の電線対が設けられ、前記第１、第２及び第３の電線対が、前記映像回線に使用されて該電線対を介して前記映像データを送信するように構成され、かつ、前記第４の電線対が、前記双方向複合回線に使用されて該電線対を介して前記ユーザデータを送信するように構成されていことを特徴とする請求項４に記載の電力供給装置。
【請求項６】
前記第１、第２、第３及び第４の前記差動電線対が、１つのケーブル内に配置されていることを特徴とする請求項５に記載の電力供給装置。
【請求項７】
前記ケーブルが、ＣＡＴ５ケーブル、ＣＡＴ６ケーブル及びＣＡＴ７ケーブルのうちの１つとされることを特徴とする請求項６に記載の電力供給装置。
【請求項８】
前記第３の電線対が、一端が一方の高域通過フィルターで結合され、他端が別の高域通過フィルターで結合された二重交流結合とされ、前記第４の電線対が、一端が一方の高域通過フィルターで結合され、他端が別の高域通過フィルターで結合された二重交流結合とされることを特徴とする請求項５に記載の電力供給装置。
【請求項９】
前記機器が、無電源機器及び自己電源機器のうちの少なくとも１つを備えていることを特徴とする請求項１に記載の電力供給装置。
【請求項１０】
前記第１の高域通過フィルターと前記第２の高域通過フィルターとの間の前記第１の電線対の前記一部分にバイアスがかけられるように構成された少なくとも１つのフェライトビーズと、前記第３の高域通過フィルターと前記第４の高域通過フィルターとの間の前記第２の電線対の前記一部分にバイアスがかけられるように構成された少なくとも１つのフェライトビーズと、がさらに設けられていることを特徴とする請求項３に記載の電力供給装置。
【請求項１１】
前記第１の設置と前記第２の接地が異なるものとされることを特徴とする請求項３に記載の電力供給装置。
【請求項１２】
前記第１の設置と前記第２の接地が同じものとされることを特徴とする請求項３に記載の電力供給装置。
【請求項１３】
ネットワークの中で接続されている複数の機器のうちの１つまたは複数の機器に電力を供給するように構成されている電力供給回路において、
電圧を生成するように構成された電圧源と、
前記電圧源によって生成された電圧が閉時に前記接続された機器に中継されるように構成された電力中継開閉器と、
前記開閉器に接続されていて、１つまたは複数の前記接続機器から電源を検出するように構成された固有の抵抗器と、
前記中継器に接続されて負荷検出器を流れる負荷電流を読み取るように構成され、前記接続機器の１つの負荷を検出し、該負荷電流に基づいて接続機器についての情報が引き出される負荷検出器と、で構成されることを特徴とする電力供給回路。
【請求項１４】
前記電力中継開閉器の開閉を制御するコントローラがさらに設けられていることを特徴とする請求項１３に記載の電力供給回路。
【請求項１５】
前記複数の機器がデイジーチェーンで互いに接続され、かつ前記電力供給回路が前記デイジーチェーンの機器の１つに設けられていることを特徴とする請求項１３に記載の電力供給回路。
【請求項１６】
負荷検出器によって引き出された前記情報には前記接続機器の身元に関する情報が含まれていることを特徴とする請求項１３に記載の電力供給回路。
【請求項１７】
前記負荷検出器によって引き出された前記情報には接続機器が電源オンされているか電源オフされているか、及び前記接続機器が電力を供給を必要としているか、に関する情報が含まれていることを特徴とする請求項１３に記載の電力供給回路。
【請求項１８】
前記負荷検出器が、前記ネットワークから複数の機器の１つが取り去られたことが検出されるようにさらに構成されていることを特徴とする請求項１３に記載の電力供給回路。
【請求項１９】
前記負荷検出器には前記ネットワークに新たな機器が接続されたことが検出されるようにさらに構成されていることを特徴とする請求項１３に記載の電力供給回路。
【請求項２０】
デジタル映像データを生成し送信するように構成された送信器と、前記デジタル映像データを映像回線を介して前記送信器から受信しユーザデータを双方向複合回線を介して前記送信器と交換する受信器と、前記送信器と受信器との間に接続された少なくとも１つのクライアント機器であって、前記送信器、前記クライアント機器、及び受信器がデイジーチェーンで接続されるクライアント機器と、で構成される電力供給システムにおいて、
前記受信器が、電源オンのとき、ユーザデータが前記クライアント機器を介して流れるモードに前記クライアント機器が入るに十分な水準に、前記クライアント機器に電力が供給されるように構成され、かつ、前記送信器が電源オンできるように、前記クライアント機器を介して前記送信器に電力が供給されるように構成されることを特徴とする電力供給システム。
【請求項２１】
前記ユーザデータが制御データ、イーサネット（登録商標）データ、ＵＳＢデータ、及びバルクデータのうちの１つまたは複数で構成されていることを特徴とする請求項２０に記載の電力供給システム。
【請求項２２】
デイジーチェーンで接続されている複数の機器の１つに電力を供給する電力供給方法であって、
前記機器の負荷を検出する工程と、
前記検出された負荷に基づいて前記機器から情報を取り出す工程と、
前記引き出した情報に基づいて前記機器に電力を中継する工程と、
を含むことを特徴とする電力供給方法。
【請求項２３】
前記機器から引き出された情報には、前記機器の身元に関する情報、及び前記機器が電力の供給を必要とするかどうかに関する情報が含まれていることを特徴とする請求項２２に記載の電力供給方法。
【発明の詳細な説明】
【技術分野】
【０００１】
本発明は、映像音声用双方向デジタルインターフェースへ電力を供給する方法及び装置に関する。
【背景技術】
【０００２】
ＤｉｉＶＡ（映像音声用双方向デジタルインターフェース）は、非圧縮高解像映像、マルチチャネル音声、広帯域及び双方向データが１つのケーブルを介して伝送される双方向音声／映像インターフェースである。ＤｉｉＶＡは、音声データ、制御データ、イーサネット（登録商標）データ、バルクデータを含み且つこれに限定しない、ユーザデータが伝送できる双方向複合データチャネルを実現する。ＤｉｉＶＡを用いることで、ユーザが、複数の民生電子機器（ＤＶＤプレーヤ、デジタルビデオレコーダ、セットトップボックス、パーソナルコンピュータ、カムコーダ、カメラ、ホームステレオシステム、を含み且つ限定されない）を、デジタルテレビまたは他のＤｉｉＶＡ機器から接続し構成して制御することができる。
【発明の概要】
【発明が解決しようとする課題】
【０００３】
ＤｉｉＶＡ経由で電力を確実に供給する方法及び装置が必要とされる。
【課題を解決するための手段】
【０００４】
シリアル接続を介して接続される機器のネットワークに電力を供給する装置は、第１の電線対及び第２の電線対を有する。第１の電線対において、一端が第１の高域通過フィルター（HPF）で結合され、他端が第２の高域通過フィルターで結合される二重交流結合（double  AC）である。第２の電線対において、一端が第３の高域通過フィルターで結合され、他端が第４の高域通過フィルターで結合される二重交流結合である。第１の低域通過フィルター（LPF）が第１の高域通過フィルターと第２の高域通過フィルターとの間の第１の電線対の一部分を電圧源に接続する。第２の低域通過フィルターが前記第１の電線対の一部分を負荷に接続する。装置は、第３の電線対及び第４の電線対を備える。４つの差動電線対がすべて、ＣＡＴ６ケーブルなどの単一のケーブル内に配置される。第１、第２及び第３の電線対が、映像回線に使用され、第４の電線対が双方向複合回線に使用される。
【０００５】
ネットワークで接続されている複数の機器の１つまたは複数の機器に電力を供給するように構成された電力供給回路は、電圧源と、電圧源によって発生された電圧をネットワークの機器に中継するように閉じれる電力中継開閉器と、を備える。回路は、接続機器の１つから電力源検出用の固有の抵抗器をさらに備える。負荷検出器は、開閉器に接続されてそこを流れる負荷電流を読み取り、接続機器の負荷を検出して該負荷電流に基づいて接続機器についての情報を引き出す。
【０００６】
図面は実施形態を図式的に開示する。全ての実施形態を説明するものではなく、他の実施形態も追加してあるいは代わりに使用できる。異なる図面に同じ番号が現われた場合、同じまたは同様の構成要素または工程を参照するものである。
【図面の簡単な説明】
【０００７】
【図１】本開示の１つの実施形態による、シリアル通信経由で接続される上流機器及び下流機器用のＤｉｉＶＡ電力供給を示した図である。
【図２】本開示の１つの実施形態による、ＤｉｉＶＡ送信器に割り当てられた電力レールのネットワーク接続形態を示した図である。
【図３】本開示の１つの実施形態による、ＤｉｉＶＡ受信器に割り当てられた電力レールのネットワーク接続形態を示した図である。
【図４】本開示の１つの実施形態による、ＰＯＤ（ＤｉｉＶＡ用電力：Power Over DiiVA）回路の例を示した図である。
【図５】本開示の１つの実施形態による、ＤｉｉＶＡ制御プロトコルの概略を示した図である。
【図６】本開示の１つの実施形態による、アクティブソース機器Ｓ４、ＰＯＤクライアントＳ１―Ｓ３及びＰＯＤサーバＴＶとの間の接続を物理的に、及び接続的に示した図である。
【図７】１つの送信器、１つのＰＯＤクライアント機器、１つの受信器を有するデイジーチェーン接続構成における、ＤｉｉＶＡ用電力供給の１つの例の示した概略図である。
【発明を実施するための形態】
【０００８】
本開示にて、ＤｉｉＶＡ用の電力を供給するための方法及び装置が開示される。図式的に示された実施形態が議論される。他の実施形態が、追加してあるいは代わりに使用されてもよい。
【０００９】
図１が、本開示の１つの実施形態による、シリアル通信経由で接続される上流機器及び下流機器用のＤｉｉＶＡ電力供給を示した図である。
【００１０】
１つの実施形態において、ＤｉｉＶＡはシリアル通信技術を実現する、すなわち、ビットストリーム・フォーマットの情報を伝送する。物理階層機器がパラレル・シリアル変換を実行し、その後にケーブルを介してシリアルビットを送信するが、該ケーブルは１つの実施形態では銅線を使用して構築されてよい。複数の機器及び接続点はＤｉｉＶＡを介してデイジーチェーンで接続され、第１の機器がＤｉｉＶＡ経由で第２の機器に接続され、第２の機器がＤｉｉＶＡ経由で第３の機器に接続され、このようにしてループバックやウェブがなく、最後の機器まで接続される。
【００１１】
１つの実施形態において、ＤｉｉＶＡは２つの電線を使用して差動信号伝送を実現する。「１」のビットを送信する場合、正電圧が１つの電線に、負電圧が他の電線に置かれ、「０」のビットを送信する場合、極性が反転する。
【００１２】
図１に図示される実施形態において、上流機器１０５が１本のケーブルの使えるシリアル通信を介して下流機器１０６に接続される。１つの実施形態では、ケーブルはイーサネット（登録商標）ＣＡＴ６ケーブルであってもよい。他の実施形態では、ＣＡＴ５やＣＡＴ７ケーブルを含め且つこれに限定されない、異なる形式のケーブルが使用されてもよい
。
【００１３】
図示されている実施形態において、ケーブルは４つのツイストペア電線、または差動電線対である。本明細書において、「差動電線対」は２つの銅線を意味する。図１にて、第１の電線対対がＶＬ０＋及びＶＬ０―として示され、第２の電線対対がＶＬ１＋及びＶＬ１―として示され、第３の電線対対がＶＬ２＋及びＶＬ２―として示され、ここでＶＬは映像回線用を表し、第４の電線対対がＨＬ＋及びＨＬ―として示され、ここでＨＬは複合回線用を表す。
【００１４】
図１に示すように、最初の３つの差動電線対（ずなわち、最初の６本の銅線のＶＬ０＋とＶＬ０―、ＶＬ１＋とＶＬ１―、ＶＬ２＋とＶＬ２―）が、すなわち映像回線用に、非圧縮映像ストリームデータを伝送するために使用される。映像回線は広帯域なので、３つの差動電線対が映像データ用に割り当てられる。第４の電線対対、すなわちＨＬ０＋とＨＬ０―が、複合回線用に使用され、それを介して全てのユーザデータ（イーサネット（登録商標）データ（Ethernet（登録商標）  Data）、ＵＳＢデータ（USB Data）、フォワード音声データ（Forward Audio）、バックワード音声データ（Backward  Audio）、制御データ（Command Channel）を含み且つこれに限定しない）が伝送される。
【００１５】
図示の実施形態において、ＤｉｉＶＡは全てのデータ（全ての映像データ及び全てのユーザデータを含み且つこれに限定されない）をわずか４つのツイストペア電線で伝送するので、ＤｉｉＶＡはわずか８つの接続ピンのみを必要とする。安価ですでに商用で入手可能な単一のケーブル（一例としてＣＡＴ６）、しかもわずか４つの差動電線対しか備えていない、をデータ伝送に使用することで、コスト有効度が大幅に向上する。
【００１６】
従来の４８Ｖ電力供給がインダクタ結合のトランスを使用するが、ＤｉｉＶＡにサポートされるマルチＧｐｂｓ信号のような高速信号はトランスを通過できない。図１に図示される実施形態では、二重交流結合が、入力される信号を結合するために、インダクタ結合を使用する代わりにＤｉｉＶＡ用電力の供給するために使用される。
【００１７】
図示の実施形態では、シリアル通信接続の第１の電線対（ＶＬ０＋とＶＬ０―）が一端で第１の高域通過フィルターを、他端で第２の高域通過フィルターを用いて二重に交流結合される。高域通過フィルターの例が参照番号１１０で示される。繁雑にならないよう、全ての高域通過フィルターが参照番号を付記されない。第１と第２の高域通過フィルターの間の第１の電線対の一部分が、一端が第１の低域通過フィルター経由で直流電圧源に接続され、他端が第２の低域通過フィルター経由で負荷に接続される。
【００１８】
図示の実施形態では、シリアル接続の第２の電線対が、一端が第３の高域通過フィルターで、他端が第４の高域通過フィルターで、二重に交流結合される。第３と第４の高域通過フィルターの間の第２の電線対の一部分が、一端で第３の低域通過フィルター経由で接地（図１でＧＮＤ１で示される）へ、他端が第４の低域通過フィルター経由で別の接地（図１でＧＮＤ２で示される）へ接続される。
【００１９】
図１に表記のＶＤ０、ＶＤ１、ＶＤ２，ＶＤ３は、対応する差動電線対の、下流機器の電圧レベルを表し、図１に表記のＶＵ０、ＶＵ１、ＶＵ２，ＶＵ３は、対応する差動電線対の、下流機器の電圧レベルを表わす。
【００２０】
図１に図示され且つ前述のように、差動電線対の両端が二重に交流接合されているとき、中間は直流的にフローティング状態にある。図示の実施形態では、図１の長方形の構成要素でフェライトビーズがバイアスをかける。このように、電力の直流構成要素は、主高速信号に望ましくない影響を与えることなく機能できる。フェライトビーズの例は図１に参照番号１２０で示される。繁雑にならないよう、全てのフェライトビーズが参照番号を付記されない。
【００２１】
図２は、本開示の１つの実施形態による、ＤｉｉＶＡ送信器に割り当てられた電力レールのネットワーク接続形態を示す。図３は、本開示の１つの実施形態による、ＤｉｉＶＡ受信器に割り当てられた電力レールのネットワーク接続形態を示す。図２、図３は方向が反転されただけの、同じ接続状態を示す。
【００２２】
図２にＰＲ０として示される電力レールは図１のＶＬ０及びＶＬ１で表示される差動電線対に対応する。図３にＰＲ１として示される電力レールは図１のＶＬ２及びＨＬで表示される差動電線対に対応する。図２、図３において、電力は電力レール（それぞれＰＲ０及びＰＲ１）の上方の差動電線対経由で回路２１０に供給され、戻り、すなわち接地電流は電力レールの下方の差動電線対経由で接地へ流れる。図２及び図３に例示の実施形態では、固有の抵抗器２２０が検出用に使用される。
【００２３】
図４は、本開示の１つの実施形態による、ＰＯＤ（ＤｉｉＶＡ用電力：Power Over DiiVA）回路の例を示す。本開示の１つまたは複数の実施形態において、ＰＯＤをサポートするＤｉｉＶＡネットワーク内の機器がＰＯＤ回路などを備える。図４で、下流電力チャネル（Ｔｘ（送信側）からＲｘ（受信側））用のＰＯＤ回路４０１、及び上流電力チャネル（ＲｘからＴｘ）用のＰＯＤ回路４０２が図示される。１つまたは複数の実施形態では、下流チャネル及び上流チャネル共に、信号の２対に対して約５ボルト、約５００ミリアンペアの電力供給能力を有する。他の実施形態は異なる電力供給能力を有しても良い。
【００２４】
ある実施形態（図示しない）では、下流電力チャネル及び上流電力チャネルが統合されて同じ方向にさらに多くの電力を供給しても良い。
【００２５】
図４に示される図示のＰＯＤ回路において、参照番号１、２、３、４、５、６、７及び
８が銅線番号を表し、「１、２」及び「３、４」がＤｉｉＶＡネットワークの機器を接続するシリアル接続の最初の２つの差動電線対を示し、「５、６」及び「７、８」がシリアル接続の次の２つの差動電線対を示す。図示の実施形態では、電線対の１つの組（「１、２」及び「３、４」）が電力を上流に伝送し、電線対の他の組（「５、６」、「７、８」）が電力を下流に伝送する。他の実施形態では、異なる電線の割当てが電力を上流または下流に伝送しても良い。
【００２６】
概観すると、下流ＰＯＤ回路４０１は、電圧（または等価的に電力）を生成するように構成された電圧源４１０、電圧源４１０によって生成された電圧を、閉時に、１つまたは複数の接続機器に中継するように構成された電力中継開閉器４２０、開閉器４２０に接続されて１つまたは複数の接続機器から電源検出用に構成された固有の抵抗器４３０、開閉器４２０に接続され、そこを流れる負荷電流を読み取るように構成されて、接続機器の１つの負荷を検出し、負荷電流に基づいて接続機器についての情報を引き出す負荷検出器４５０で構成される。コントローラ（表示せず）は、電力中継開閉器４２０の開閉を制御する。上流ＰＯＤ回路４０２は、対称的に反対の構成に割り当てられた同じ電気構成要素で構成される。
【００２７】
負荷検出器４５０によって引き出された情報には、接続機器の身元に関する情報、接続機器が電源オンか電源オフかに関する情報、接続機器が電力を必要としているかの情報がこれに限らずに含まれる。負荷検出器は、また、ネットワークから複数の接続機器の１つが外れたか、及び／またはネットワークに新しい機器が接続されたかを検出しても良い。
【００２８】
負荷（典型的には１つまたは複数の負荷抵抗）がＰＯＤ回路４０１または４０２に接続されたとき、ＰＯＤ負荷検出器４５０がそこを流れる電流を検出して、機器が接続されたか判断し、そうであるとき負荷抵抗値に基づいて接続機器についての情報を獲得する。たとえば、ＰＯＤ負荷検出器４５０が機器が自己電源であるので電力を供給する必要はないことを示す情報を接続機器から受信しても良い。
【００２９】
図４に図示されるＰＯＤ回路は、様々な機能、近隣の機器から電源を検出する、近隣の機器のＰＯＤ負荷を検出する、機器の取外し及び／または新しい機器の接続を検出する、ホットプラグを検出する、ＰＯＤクライアント機器を検出する、接続機器の電源オン、またはオフ状態を検出する、ＰＯＤ電力の中継、すなわち、ＰＯＤ電流を一方から他方に中継する、を含み且つこれに限定されない機能を実行できる。
【００３０】
図５は、ＤｉｉＶＡ制御プロトコルの概観図であり、本開示の１つの実施形態によれば、送信器５０５及び受信器（または表示機器）５０６が双方向複合回線５３４の指令副チャネルを介して指令パケットを交換できる。図５に示すように、映像データが１つの方向のみ、すなわち、送信器５０５の下流ポート５１０から受信器５０６の上流ポート５１５へ下流方向に、映像回線５３２を介して伝送される。
【００３１】
双方向複合回線５３４を介して双方向に、データパケットが送信器５０５と受信器５０６との間を交換される。複合回線５３４では、したがって、デイジーチェーンで接続されている送信器５０５と受信器５０６との間を広帯域双方向データが伝送される。複合回線５３４が、パケット化された種々のインターフェースのデータ、フォワード音声、バックワード音声、ＵＳＢデータ、イーサネット（登録商標）データ、コマンドチャネルを含め且つこれに限らないデータを伝送できる。
【００３２】
映像回線５３２は２地点間インターフェースである。ある実施形態では、非圧縮高解像映像データを伝送するが、非圧縮映像データのみに限らない。映像データは１つまたは複数のレーン経由で伝送される。ＤｉｉＶＡでは、１、２または３のデータレーンがあっても良い。映像回線を動作させるクロックが伝送機からの映像データに埋め込まれている。図５に単方向の映像回線が示され、本開示の他の実施形態では、双方向映像回線が使われる。
【００３３】
図６に、１つの実施形態における、機器のデイジーチェーン接続の活性化シーケンスの物理層６１０及びリンク層６２０がそれぞれ図示され、機器にはアクティブ送信器Ｓ４、ＰＯＤクライアントＳ１、Ｓ２、Ｓ３、及び図示の実施形態ではテレビであるＰＯＤサーバまたは受信器が含まれる。
【００３４】
物理層は、媒体を介して実際のデータを物理的に伝送し受信する役割りを持つ。１つまたは複数の実施形態では、媒体は産業標準のＣａｔ―６ケーブル接続であり、本開示の他の実施形態では異なる形式の媒体が使用される。物理層のデータストリームは８ｂ―１０ｂフォーマットにエンコードされる。
【００３５】
リンク層は、全てのデータ形式を優先順位決めしてパケット化し、伝送のため物理層に送る。物理層から入力されるデータはデパケット化され、次の処理のため適切な回路に送られる。
【００３６】
デイジーチェーンの機器は、アクティブモード、ＰＯＤモード、またはオフモードで動作できる。アクティブモードで、機器は完全に電源オンされ、すなわち、ローカルに電源オンされ完全に機能する。このモードでは、映像及び複合回線データは全てローカルの電力を使用して内蔵で処理される。
【００３７】
ＰＯＤモードで、映像及び複合回線データが機器によって処理され機能される。このモードでは、伝送機はＰＯＤモード機器経由で受信機と完全に通信できる。オフモードでは、ＩＣ及び全回路が電源オフされる。何れの通信も発生しない。
【００３８】
１つの実施形態では、デイジーチェーンの機器はそれぞれ、ピンポン・プロトコルをサポートし、機器が受信したデータを送り返し、半二重の複合回線の方向を反転させる。ＤｉｉＶＡ経由で接続される機器は、全てこのピンポン・プロトコルをサポートする。
【００３９】
ある実施形態では、複合回線が２地点間半二重インターフェースであり、ピンポンまたはトークンパッシング・インターフェースとして設計される。ピンポン・インターフェースにおいて、１つの機器がメッセージを送って返信メッセージの間（または受領または待機パケット）待ってから、次のメッセエージを送る。この動作は次のように要約できて、機器Ａが送信の権利を持ってパケットを送信し、機器Ｂがパケットを受信し、機器Ｂが正常であること（リンクエラーの無いこと）を確認し、機器Ｂがパケットを受領する。
【００４０】
１つの実施形態では、ＤｉｉＶＡ用電力供給が、送信器、受信器、及び送信機と受信機の間に接続された少なくとも１つのクライアント機器であって、全ての機器がデイジーチェーンで互いに接続されている機器を含むシステム用に実行される。送信機が映像デジタルデータを生成し伝送するように構成される。受信機がデジタル映像データを映像回線経由で送信機から受信し、また、ユーザデータを双方向複合回線経由で送信機と交換するように構成される。この実施形態では、受信機は、電源投入時に、クライアント機器にクライアント機器がユーザデータがクライアント機器を介して流れるモードに入れるに十分な電力を供給する。受信機は、送信機が電源オンされるように、クライアント機器を介して送信機に電力を供給する。
【００４１】
図７は、１つの送信器（図７に示される例のＤＶＤプレーヤ）、１つのＰＯＤクライアント機器（図７に示される例のセットアップボックス）、１つの受信器（図７に示される例のテレビ）を有するデイジーチェーン接続の、ＤｉｉＶＡ用電力供給の１つの例の示した概略を示す。図示の実施形態では、最初にＴＶがデイジーチェーンの機器に電力を送る。ローカルに電源投入されていない（すなわち電源オフされている）送信機が全て、ＤｉｉＶＡケーブル経由でテレビから電力を受電する。テレビがＰＯＤサーバで、ローカルに電源投入されていない送信機はすべてＰＯＤクライアントである。ＰＯＤモードのクライアント機器は、ノーマルモードで複合回線を操作する。テレビがＤＶＤプレーヤ（送信機）に電源オンさせる指令を送る。ＤＶＤプレーヤが電源オンし、ＰＯＤクライアントモードに維持し、映像信号をテレビに送る。
【００４２】
まとめると、ＤｉｉＶＡ経由で電力を供給する方法及び装置を説明してきた。構成要素、工程、機能、目的、有効な点、優れた点が議論されてきたが、単に例示されたに過ぎない。これら及びこれらに関する議論は、何れにしても保護の範囲を限定する意図はない。ある実施形態がＤｉｉＶＡ経由の電力供給に関する装置及び方法を説明している一方で、これらの実施形態で暗示されている主旨は他の実施形態でも使用できることは理解されよう。また、構成要素、工程、機能、目的、有効な点、優れた点を、少ないか追加されるか及び／または異なって、有する他の種々の実施形態を含めて予期される。また、構成要素及び工程は様々に配置され順列される。説明されず例示されていなくても、構成要素、工程、機能、目的、有効な点、優れた点、またはそれに等価なものが公になるものである。
【００４３】
本開示において、構成要素の単数の参照は、言及しない限りは「１つ及び単一」を意味する意図はなく、むしろ「１つまたは複数」を意味するものである。本開示を通して記載された種々の実施形態の構成要素と同等の全ての構造及び機能は、当業者に知られまたは後に知られても、本明細書へ参照して明確に組み込まれる。
【図１】
2015046897.tif 000003
【図２】
2015046897.tif 000004
【図３】
2015046897.tif 000005
【図４】
2015046897.tif 000006
【図５】
2015046897.tif 000007
【図６】
2015046897.tif 000008
【図７】
2015046897.tif 000009
【手続補正書】
【提出日】平成26年10月24日(2014.10.24)
【手続補正１】
【補正対象書類名】特許請求の範囲
【補正対象項目名】全文
【補正方法】変更
【補正の内容】
【特許請求の範囲】
【請求項１】
シリアル接続に差動電線対として設けられた第１の電線対及び第２の電線対と、１つまたは複数の機器に供給する電圧を前記第１の電線対と前記第２の電線対との間に生じさせる電源と、で構成された、該シリアル接続を介して接続されている機器のネットワークに電力を供給する、電力供給装置であって、
前記第１の電線対における一端が第１の高域通過フィルターで結合されると共に、前記第１の電線対における他端が第２の高域通過フィルターで結合された、二重交流結合とされ、かつ、
前記第２の電線対における一端が第３の高域通過フィルターで結合されると共に、前記第２の電線対における他端が第４の高域通過フィルターで結合された、二重交流結合とされており、
前記第１の高域通過フィルターと前記第２の高域通過フィルターとの間における前記第１の電線対の一部分を電圧源に接続させる第１の低域通過フィルターと、
前記第１の電線対の前記一部分を負荷に接続させる第２の低域通過フィルターと、
前記第３の高域通過フィルターと前記第４の高域通過フィルターとの間における前記第２の電線対の一部分を第１の接地に接続させる第３の低域通過フィルターと、
前記第２の電線対の前記一部分を第２の接地に接続させる第４の低域通過フィルターと、がさらに設けられていることを特徴とする電力供給装置。
【請求項２】
前記機器には送信器及び受信器が含まれ、前記送信器において生成された映像データを１つまたは複数の映像回線を介して前記受信器に送信させるように前記送信器が構成され、前記送信器及び前記受信器が、双方向複合回線を介して互いにユーザデータを交換するように構成され、かつ、前記ユーザデータには制御データ、イーサネット（登録商標）データ、ＵＳＢデータ、音声データ、バルクデータのうちの１つまたは複数が含まれていることを特徴とする請求項１に記載の電力供給装置。
【請求項３】
前記シリアル接続に差動電線対として第３の電線対及び第４の電線対が設けられ、前記第１、第２及び第３の電線対が、前記映像回線に使用されて該電線対を介して前記映像データを送信するように構成され、かつ、前記第４の電線対が、前記双方向複合回線に使用されて該電線対を介して前記ユーザデータを送信するように構成されていことを特徴とする請求項２に記載の電力供給装置。
【請求項４】
前記第１、第２、第３及び第４の差動電線対が、１つのケーブル内に配置されていることを特徴とする請求項３に記載の電力供給装置。
【請求項５】
前記ケーブルが、ＣＡＴ５ケーブル、ＣＡＴ６ケーブル及びＣＡＴ７ケーブルのうちの１つとされることを特徴とする請求項４に記載の電力供給装置。
【請求項６】
前記第３の電線対が、一端が一方の高域通過フィルターで結合され、他端が別の高域通過フィルターで結合された二重交流結合とされ、前記第４の電線対が、一端が一方の高域通過フィルターで結合され、他端が別の高域通過フィルターで結合された二重交流結合とされることを特徴とする請求項３に記載の電力供給装置。
【請求項７】
前記機器が、無電源機器及び自己電源機器のうちの少なくとも１つを備えていることを特徴とする請求項１に記載の電力供給装置。
【請求項８】
前記第１の高域通過フィルターと前記第２の高域通過フィルターとの間の前記第１の電線対の前記一部分にバイアスがかけられるように構成された少なくとも１つのフェライトビーズと、前記第３の高域通過フィルターと前記第４の高域通過フィルターとの間の前記第２の電線対の前記一部分にバイアスがかけられるように構成された少なくとも１つのフェライトビーズと、がさらに設けられていることを特徴とする請求項１に記載の電力供給装置。
【請求項９】
前記第１の接地と前記第２の接地が異なるものとされることを特徴とする請求項１に記載の電力供給装置。
【請求項１０】
前記第１の接地と前記第２の接地が同じものとされることを特徴とする請求項１に記載の電力供給装置。
【外国語明細書】
2015046897000001.pdf
2015046897000002.pdf
2015046897000003.pdf
2015046897000004.pdf